(57)【要約】【課題】高精度の電源投入時刻を決定し、ユーザが所望する電源投入時刻に電源を投入する電源制御装置を提供する。【解決手段】時間帯情報記録手段２０の実施カウンタ２３が外部から電源投入指示を受信すると、現在時刻取得手段１０から取得した現在の曜日と時刻に対応する時間帯テーブル２１をカウントし、ヒストグラム生成手段４０が実施カウンタ２３のカウント値に基づいて曜日毎のヒストグラムを生成し、時間帯候補抽出手段５０が曜日毎のヒストグラムの上位の時間帯を電源投入時間帯候補として抽出して保持し、時刻決定手段６０が外部から電源切断指示を受信すると、電源投入時間帯候補と電源切断指示を受信した曜日と時刻に基づいて次回電源投入時刻を決定する。【選択図】図２
2010268361.tif 000002
【特許請求の範囲】
【請求項１】
現在の曜日と現在時刻を取得する現在時刻取得手段と、
外部から電源投入指示を受信すると、上記現在時刻取得手段から曜日と時刻を取得し、取得した曜日と時刻に対応する時間帯をカウントする実施カウンタを有する時間帯情報記録手段と、
上記実施カウンタのカウント値に基づいて曜日毎のヒストグラムを生成するヒストグラム生成手段と、
上記ヒストグラム生成手段で生成した曜日毎のヒストグラムの上位の時間帯を各曜日の電源投入時間帯候補として抽出する時間帯候補抽出手段と、
外部から電源切断指示を受信すると、上記現在時刻取得手段から曜日と時刻を取得すると共に上記時間帯候補抽出手段から電源投入時間帯候補を取得し、上記現在時刻取得手段から取得した曜日、時刻及び上記電源投入時間帯候補に基づいて次回電源投入時刻を決定する時刻決定手段とを備えた電源制御装置。
【請求項２】
上記時間帯情報記録手段は、
上記電源投入時間帯候補の時間帯において上記電源投入指示を受信しない場合、対応する上記時間帯テーブルの時間帯をカウントする不実施カウンタと、
上記不実施カウンタのカウント値が予め設定された閾値を超えた場合、対応する上記実施カウンタのカウント値を初期化する初期化手段とを備えたことを特徴とする請求項１記載の電源制御装置。
【請求項３】
上記時間帯候補抽出手段は、上記ヒストグラム生成手段で生成した曜日毎のヒストグラムの上位の時間帯のうち、曜日毎に予め設定された個数以内の時間帯を各曜日の電源投入時間帯候補として抽出することを特徴とする請求項１または請求項２に記載の電源制御装置。
【請求項４】
上記時刻決定手段は、外部から電源切断指示を受信すると、上記現在時刻取得手段から曜日と時刻を取得すると共に上記時間帯候補抽出手段から電源投入時間帯候補を取得し、上記現在時刻取得手段から取得した曜日、時刻及び上記電源投入時間帯候補に基づいて、上記電源投入時間帯候補の中から、現在の曜日と現在時刻に最も近い未来の時間帯を選択し、選択した時間帯の先頭時刻を次回電源投入時刻として決定することを特徴とする請求項１から請求項３のうちのいずれか１項記載の電源制御装置。
【発明の詳細な説明】
【技術分野】
【０００１】
本発明は、例えばデジタル放送受信装置の起動時間を短縮する電源制御装置に関するものである。
【背景技術】
【０００２】
一般的に、デジタル放送受信装置には、ユーザによるリモコン操作やデジタル放送受信装置本体に配されたボタン操作に基づく処理を行うためのスタンバイ用マイコン及びデジタル放送を受信する際に必要な処理を行うための放送受信用マイコンが搭載されている。
このようなデジタル放送受信装置では、常時電源が供給されているスタンバイ用マイコンが放送受信用マイコンの電源投入／切断の制御を行うため、デジタル放送受信装置においてデジタル放送を受信していない場合、放送受信用マイコンには電源を供給していない。
【０００３】
しかし、放送受信用マイコンは、オペレーティングシステム上で動作するソフトウェアで受信処理を行っており、放送受信用マイコンに電源を投入してオペレーションシステムが起動するまでに数十秒かかり、実際にデジタル放送の受信を開始するまでに時間を要していた。そこで、放送受信を開始するまでの時間を短縮する電源制御装置が開示されている（例えば、特許文献１参照）。特許文献１によれば、デジタル放送受信装置が電源投入された時刻を履歴として記録しており、デジタル放送受信装置が電源切断された際、電源切断された時刻から２４時間戻した時刻に一番近い電源投入時刻を求め、この電源投入時刻から２４時間進めた時刻を次回電源投入時刻として決定し、次回電源投入時刻になると放送受信用マイコンへ電源を投入している。
【先行技術文献】
【特許文献】
【０００４】
【特許文献１】特開２００５−１９１８１５号公報
【発明の概要】
【発明が解決しようとする課題】
【０００５】
しかしながら、上述した従来の電源制御装置では、電源切断された時刻から２４時間戻した時刻に一番近い電源投入時刻を求め、この電源投入時刻から２４時間進めた時刻を次回電源投入時刻として決定しているため、曜日毎に実際の電源投入時刻が異なる場合、ユーザが実際に所望する電源投入時刻に電源が投入されておらず、決定された電源投入時刻の精度が悪いという課題があった。
【０００６】
この発明は、上述した課題を解決するためになされたもので、高精度の電源投入時刻を決定し、ユーザが所望する電源投入時刻に電源を投入する電源制御装置を提供することを目的とする。
【課題を解決するための手段】
【０００７】
この発明に係る電源制御装置は、現在の曜日と現在時刻を取得する現在時刻取得手段と、外部から電源投入指示を受信すると、現在時刻取得手段から曜日と時刻を取得し、取得した曜日と時刻に対応する時間帯をカウントする実施カウンタを有する時間帯情報記録手段と、実施カウンタのカウント値に基づいて曜日毎のヒストグラムを生成するヒストグラム生成手段と、ヒストグラム生成手段で生成した曜日毎のヒストグラムの上位の時間帯を各曜日の電源投入時間帯候補として抽出する時間帯候補抽出手段と、外部から電源切断指示を受信すると、現在時刻取得手段から曜日と時刻を取得すると共に時間帯候補抽出手段から電源投入時間帯候補を取得し、現在時刻取得手段から取得した曜日、時刻及び電源投入時間帯候補に基づいて次回電源投入時刻を決定する時刻決定手段とを備えたものである。
【発明の効果】
【０００８】
この発明に係る電源制御装置によれば、外部からの電源投入指示を受信した際、実施カウンタが電源投入指示された曜日と時間に対応する時間帯にカウントし、ヒストグラム生成手段がカウント情報に基づいて曜日毎のヒストグラムを生成し、時間帯候補抽出手段が曜日毎のヒストグラムの上位の時間帯を各曜日の電源投入時間帯候補として保持し、外部からの電源切断指示を受信した際、時刻決定手段が電源切断された曜日、時刻及び電源投入時間帯候補に基づいて次回電源投入時刻を決定するように構成したので、高精度の電源投入時刻を決定し、ユーザが所望する電源投入時刻に電源を投入することができる。
【図面の簡単な説明】
【０００９】
【図１】この発明の実施の形態１の電源制御装置を用いたデジタル放送受信装置の一例を示すブロック図である。
【図２】この発明の実施の形態１の電源制御装置の構成を示すブロック図である。
【図３】この発明の実施の形態１の電源制御装置で用いられるテーブルの一例である。
【図４】この発明の実施の形態２の電源制御装置の構成を示すブロック図である。
【発明を実施するための形態】
【００１０】
以下、この発明の実施の形態を、図面を参照しながら詳細に説明する。なお、以下では、この発明の実施の形態に係る電源制御装置がデジタル放送受信装置に適用されているものとして説明する。
【００１１】
実施の形態１．
図１は、この発明の実施の形態１の電源制御装置を用いたデジタル放送受信装置の一例を示すブロック図である。
図１に示すように、デジタル放送受信装置は、操作部１、スタンバイ用電源２、スタンバイ用マイコン３、電源制御装置４、放送受信用電源５、放送受信用マイコン６、出力部７から構成されている。
【００１２】
操作部１は、図示しないリモコンやデジタル放送受信装置本体に配されたボタンであり、ユーザの操作を受け付け、スタンバイ用マイコン３を通じて放送受信用マイコン６及び電源制御装置４へ指示内容を示す信号を出力する。
【００１３】
スタンバイ用電源２は、スタンバイ用マイコン３へ常時電源を供給しており、スタンバイ用マイコン３は、操作部１からの指示に基づいて、電源制御装置４を通じて放送受信用電源５へ電源投入又は電源切断を指示し、放送受信用マイコン６の電源投入又は電源切断を行う。
【００１４】
スタンバイ用マイコン３は、デジタル放送受信装置の電源がオフであっても、スタンバイ用電源２により常時電源が供給されており、操作部１からの指示を待っている。スタンバイ用マイコン３は、操作部１から電源投入指示及び放送受信指示を受信すると、電源制御装置４を通じて放送受信用電源５へ電源投入指示を送信すると共に、放送受信用マイコン６へ放送受信指示を送信する。また、スタンバイ用マイコン３は、操作部１から電源切断指示を受信すると、電源制御装置４を通じて放送受信用電源５へ電源切断指示を送信する。
【００１５】
後述する電源制御装置４は、例えば、スタンバイ用マイコン３と放送受信用電源５との間に設けられ、スタンバイ用マイコン３からの電源投入指示に基づいて放送受信用電源５へ電源投入指示を送信すると共に、電源切断指示に基づいて放送受信用電源５へ電源切断指示を送信する。放送受信用電源５から放送受信用マイコン６へ電源が切断された際には次回電源投入時刻を予測して記録し、記録した次回電源投入時刻と現在時刻とに基づいて放送受信用マイコン６の電源を投入するよう放送受信用電源５へ指示する。なお、ここでは、電源制御装置４は、スタンバイ用マイコン３と放送受信用電源５との間に設けているとしたが、後述する電源制御装置４の構成であればスタンバイ用マイコン３に組み込んだ構成にしても良い。
【００１６】
放送受信用電源５は、電源投入指示を受信した際に放送受信用マイコン６へ電源を供給し、電源切断指示を受信した際に放送受信用マイコン６への電源の供給を終了する。
【００１７】
放送受信用マイコン６は、スタンバイ用マイコン３からの放送受信指示に基づいて、外部からデジタル放送を受信し、受信したデジタル放送を出力部７へ送信するものである。
【００１８】
出力部７は、放送受信用マイコン６から受信したデジタル放送を映像や音声として出力するモニタやスピーカである。
【００１９】
デジタル放送受信装置は、操作部１からの指示に基づき、スタンバイ用電源２により常時電源を投入されているスタンバイ用マイコン３から、電源制御装置４を介して放送受信用電源５へ電源投入指示を送信すると共に放送受信用マイコン６へ放送受信指示を送信している。放送受信用電源５から電源投入された放送受信用マイコン６がスタンバイ用マイコン３から放送受信指示を受信するとデジタル放送を受信し、放送受信用マイコン６が受信したデジタル放送の映像を出力部７へ送信している。
【００２０】
また、デジタル放送受信装置は、操作部１からの指示に基づき、スタンバイ用マイコン３から電源制御装置４を介して、放送受信用マイコン６へ受信終了指示を送信すると共に放送受信用電源５へ電源切断指示を送信し、放送受信用マイコン６がデジタル放送の受信を終了し、放送受信用電源５が放送受信用マイコン６への電源投入を切断する。
【００２１】
さらに、デジタル放送受信装置は、電源切断指示されると、電源制御装置４が次回電源投入時刻を予測し記録してから電源を切断し、記録した次回電源投入時刻と現在時刻とが一致した場合に放送受信用電源５へ電源投入指示を送信することで、放送受信用電源５から放送受信用マイコン６への電源が投入される。
【００２２】
次に、電源制御装置４の構成について説明する。
図２は、この発明の実施の形態１の電源制御装置４の構成を示すブロック図である。
図２に示すように、電源制御装置４は、現在時刻取得手段１０、時間帯情報記録手段２０、ヒストグラム生成手段４０、時間帯候補抽出手段５０、時刻決定手段６０、及び指示手段７０から構成されている。
【００２３】
現在時刻取得手段１０は、内部に時計１１を内蔵しており、スタンバイ用マイコン３から電源投入指示又は電源切断指示を受信する度に、内蔵の時計１１から現在の曜日及び現在時刻を読み出して取得する。また、現在時刻取得手段１０は、時刻決定手段６０が次回電源投入時刻を決定すると、次回電源投入時刻と現在時刻が一致するまで、時計１１から継続して現在の曜日及び現在時刻を取得する。
【００２４】
時間帯情報記録手段２０は、後述する時間帯テーブル２１、実施カウンタ２３から構成されており、スタンバイ用マイコン３から電源投入指示を受信する度に、現在時刻取得手段１０へ要求して現在の曜日及び現在時刻を取得し、実施カウンタ２３が現在の曜日と現在の時刻に対応する時間帯テーブル２１のカウント値を１つカウントアップする。
【００２５】
実施カウンタ２３は、後述する時間帯テーブル２１の項目に対応する複数のカウンタを有しており、スタンバイ用マイコン３から電源投入指示を受信する毎に現在の曜日及び現在時刻に対応する時間帯のカウンタのカウント値を１つカウントアップすると共に、各時間帯のカウント値をヒストグラム生成手段４０へ送信する。
【００２６】
ヒストグラム生成手段４０は、実施カウンタ２３のカウント値に基づいて、曜日毎に電源投入頻度の大きい時間帯の順で並べ替えを行い、曜日毎のヒストグラムを生成・更新する。
【００２７】
時間帯候補抽出手段５０は、ヒストグラム生成手段４０からヒストグラムを読み出し、曜日毎のヒストグラムの上位でカウント値が「１」以上の時間帯から予め設定された個数以下で抽出し、抽出した時間帯を各曜日の電源投入時間帯候補として保持する。なお、各曜日の電源投入時間帯候補数は、全曜日同じ数にしても、曜日毎に個別に設定するように構成しても良い。
【００２８】
時刻決定手段６０は、スタンバイ用マイコン３から電源切断指示を受信する度に、現在時刻取得手段１０に対して現在の曜日と現在時刻の通知を要求すると共に、時間帯候補抽出手段５０に対して電源投入時間帯候補を要求する。時刻決定手段６０は、現在時刻取得手段１０から現在の曜日と現在時刻を取得すると共に、時間帯候補抽出手段５０から電源投入時間帯候補を取得すると、現在の曜日、現在時刻及び電源投入時間帯候補に基づいて次回電源投入時刻を決定し、決定した次回電源投入時刻を保持する。
【００２９】
また、時刻決定手段６０は、電源切断指示を受信した後、現在時刻取得手段１０へ継続して曜日及び時刻を要求して現在の曜日及び現在時刻を取得しており、保持している次回電源投入時刻と取得した現在時刻とが一致した際に、指示手段７０に対して電源投入指示を送信する。
【００３０】
指示手段７０は、スタンバイ用マイコン３又は時刻決定手段６０から電源投入指示を受信すると、放送受信用電源５に対して放送受信用マイコン６の電源を投入するよう電源投入指示を送信する。また、指示手段７０は、スタンバイ用マイコン３から電源切断指示を受信すると、放送受信用電源５に対して放送受信用マイコン６の電源を切断するよう電源切断指示を送信する。
【００３１】
ここで、時間帯情報記録手段２０が有する時間帯テーブル２１と実施カウンタ２３について説明する。
図３は、この発明の実施の形態１の電源制御装置４で用いられる時間帯テーブル２１の一例である。
図３に示すように、時間帯テーブル２１は、曜日毎の１日（２４時間）を一定の時間帯で分割し、７（曜日数）×９６（２４時間を１５分間間隔で分割した場合の分割数）の項目から構成されている。時間帯は、例えば、図３に示すように、１番目の時間帯が０時０分０秒から０時１４分５９秒を示す００：００：００〜００：１４：５９、２４番目の時間帯が６時４５分０秒から６時５９分５９秒を示す０６：４５：００〜０６：５９：５９、６０番目の時間帯が１８時４５分０秒から１８時５９分５９秒を示す１８：４５：００〜１８：５９：５９、９６番目の時間帯が２３時４５分０秒から２３時５９分５９秒を示す２３：４５：００〜２３：５９：５９で構成されている。
【００３２】
また、実施カウンタ２３は、図示しないが、図３に示した時間帯テーブル２１の時間帯に対応した７×９６個のカウンタを有し、各カウンタの初期値は０としている。
【００３３】
なお、図３において、時間帯テーブル２１は、２４時間を１５分間隔で分割しているが、これは一例であり、他の時間間隔として、例えば１０分間隔、３０分間隔等で適宜一定の時間間隔で設定される構成であれば良い。
【００３４】
次に、電源制御装置４の動作について説明する。
図２に示すように、スタンバイ用マイコン３から受信した電源投入指示は、電源制御手段４の現在時刻取得手段１０、時間帯情報記録手段２０及び指示手段７０で受信される。
【００３５】
現在時刻取得手段１０は、スタンバイ用マイコン３から電源投入指示を受信すると、内蔵の時計１１から現在の曜日と現在時刻を読み出して取得する。ここでは、例えば、電源投入指示を受信した曜日を日曜日とし、時刻を１８時５０分０秒とする。
【００３６】
時間帯情報記録手段２０は、スタンバイ用マイコン３から電源投入指示を受信すると、現在時刻取得手段１０へ現在の曜日と現在時刻の通知を要求し、現在時刻取得手段１０から現在の曜日として日曜日、現在時刻として１８時５０分０秒を取得する。
【００３７】
時間帯情報記録手段２０は、現在の曜日と現在時刻を取得すると、実施カウンタ２３が現在の曜日と現在時刻に対応する時間帯テーブル２１の時間帯のカウント値を１つカウントアップし、カウント値をヒストグラム生成手段４０に送信する。例えば、実施カウンタ２３は、日曜日の１８時５０分０秒が含まれる時間帯として、図３に示す「日」、「１８：４５：００〜１８：５９：５９」の項目に対応するカウント値を１つカウントアップする。
【００３８】
ヒストグラム生成手段４０は、実施カウンタ２３から各カウンタのカウント値を受信すると、受信したカウンタ値に基づいて、曜日毎に電源投入頻度の大きい時間帯の順で並べ替えを行って、曜日毎のヒストグラムを生成又は更新し、時間帯候補抽出手段５０へ送信する。
【００３９】
時間帯候補抽出手段５０は、ヒストグラム生成手段４０からヒストグラムを受信すると、曜日毎のヒストグラムの上位でカウント値が「１」以上の時間帯から予め設定された個数以内で時間帯を抽出し、抽出した時間帯を各曜日の電源投入時間帯候補として保持する。保持された電源投入時間帯候補は、必要に応じて時刻決定手段６０へ送信される。例えば、時間帯候補抽出手段５０は、「日」、「１８：４５：００〜１８：５９：５９」の時間帯を電源投入時間帯候補として保持している。
【００４０】
時刻決定手段６０は、スタンバイ用マイコン３から電源切断指示を受信すると、現在時刻取得手段１０に対して現在の曜日と現在時刻の通知を要求すると共に、時間帯候補抽出手段５０に対して電源投入時間帯候補を要求する。時刻決定手段６０は、現在の曜日、現在時刻及び電源投入時間帯候補を取得すると、現在の曜日、現在時刻及び電源投入時間帯候補に基づいて、電源投入時間帯候補の中から、現在の曜日と現在時刻に最も近い未来の時間帯を選択し、選択した時間帯の先頭時刻を次回電源投入時刻として決定し、記録する。このとき、例えば、時刻決定手段６０は、電源切断指示を受信した時刻が電源投入指示を受信した翌週の日曜日の１１時３０分０秒の場合、最も近い未来の時間帯候補として図３に示す１８：４５：００〜１８：５９：５９の時間帯を選択し、次回電源投入時刻が１８：４５：００、即ち１８時４５分０秒に決定する。
【００４１】
また、時刻決定手段６０は、次回電源投入時刻を決定して記録すると、現在時刻取得手段１０から継続して現在の曜日及び現在時刻を取得しており、次回電源投入時刻と現在時刻が一致すると、指示手段７０へ電源投入指示を送信すると共に、現在時刻取得手段１０からの現在の曜日及び現在時刻の取得を終了する。例えば、時刻決定手段６０は、現在時刻が日曜日の１８時４５分０秒になると、指示手段７０へ電源投入指示を送信し、現在時刻取得手段１０からの現在の曜日及び現在時刻の取得を終了する。
【００４２】
指示手段７０は、スタンバイ用マイコン３又は時刻決定手段６０から電源投入指示を受信すると、放送受信用電源５に対して放送受信用マイコン６の電源を投入するよう電源投入指示を送信する。また、指示手段７０は、スタンバイ用マイコン３から電源切断指示を受信すると、放送受信用電源５に対して放送受信用マイコン６の電源を切断するよう電源切断指示を送信する。
【００４３】
以上のように、実施の形態１によれば、現在時刻取得手段１０が内蔵の時計から現在の曜日と現在時刻を取得し、時間帯情報記録手段２０の実施カウンタ２３が、外部からの電源投入指示を受信すると、取得した曜日と時刻に対応する時間帯テーブル２１をカウントし、ヒストグラム生成手段４０が実施カウンタ２３からのカウント値に基づいて曜日毎のヒストグラムを生成し、時間帯候補抽出手段５０がヒストグラム生成手段４０で生成した曜日毎のヒストグラムの上位の時間帯を各曜日の電源投入時間帯候補として抽出して保持し、時刻決定手段６０が、スタンバイ用マイコン３から電源切断指示を受信すると、現在時刻取得手段１０から曜日と時刻を取得すると共に時間帯候補抽出手段５０から電源投入時間帯候補を取得し、電源切断指示を受信した曜日、時刻及び電源投入時間帯候補に基づいて、電源投入時間帯候補の中から電源切断指示を受信した曜日と時刻に最も近い未来の時間帯を選択し、選択した時間帯の先頭時刻を次回電源投入時刻として決定し、次回電源投入時刻と現在時刻が一致した場合、指示手段７０から放送受信用電源５へ電源投入指示を送信するように構成したので、曜日毎に異なる電源投入時刻への対応を可能とすることができ、その結果、高精度の電源投入時刻を決定することができる。
【００４４】
また、実施の形態１によれば、ユーザが所望する電源投入時刻に放送受信用電源５への電源投入指示を送信して放送受信用マイコン６へ電源を供給することができ、無駄に装置を起動することがなくなるため消費電力を削減することができる。
【００４５】
実施の形態２．
実施の形態１では、電源切断指示された曜日と時刻に最も近い未来の時間帯の先頭時刻を次回電源投入時刻として決定したが、実施の形態２は、例えば、番組改編等によって変更したユーザの視聴パターンに対応する構成について説明する。
【００４６】
図４は、実施の形態２の電源制御装置４の構成を示すブロック図である。なお、実施の形態１と同一の構成については、同一の符号を付し、その詳細な説明を省略する。
図４に示すように、電源制御装置４は、現在時刻取得手段１０、時間帯情報記録手段８０、ヒストグラム生成手段４０、時間帯候補抽出手段５０、時刻決定手段６０及び指示手段７０から構成されており、指示手段７０及び時間帯情報記録手段８０以外は、実施の形態１と同様の構成、動作である。
【００４７】
指示手段７０は、実施の形態１同様に、スタンバイ用マイコン３又は時刻決定手段６０から電源投入指示を受信すると、放送受信用電源５に対して放送受信用マイコン６の電源を投入するよう電源投入指示を送信する。また、指示手段７０は、スタンバイ用マイコン３から電源切断指示を受信すると、放送受信用電源５に対して放送受信用マイコン６の電源を切断するよう電源切断指示を送信する。
【００４８】
また、指示手段７０は、時刻決定手段６０から電源投入指示を受信してから予め設定した時間、例えばここでは１時間帯内の１５分を過ぎても、スタンバイ用マイコン３から電源投入指示を受信しない場合、時間帯情報記録手段８０へ不実施通知を送信するように構成されている。
【００４９】
時間帯情報記録手段８０は、時間帯テーブル８１、実施カウンタ８３、不実施カウンタ８７、初期化手段８９から構成されており、外部から電源投入指示を受信すると、実施カウンタ８３が時間帯テーブル８１の現在の曜日と現在の時刻に対応したカウント値を１つカウントアップする。
【００５０】
時間帯テーブル８１は実施の形態１の時間帯テーブル２１と同様に７×９６個の項目を有する構成であり、実施カウンタ８３は実施の形態１の実施カウンタ２３と同様の構成である。実施カウンタ８３は、時間帯テーブル８１に対応した７×９６個のカウンタを有し、各カウンタの初期値を０としており、スタンバイ用マイコン３から電源投入指示を受信する毎に、現在の曜日と現在の時刻に対応するカウンタのカウント値を１つカウントアップする。
【００５１】
不実施カウンタ８７は、図示していないが、時間帯テーブル８１に対応した７×９６個のカウンタを有し、各カウンタの初期値を０としており、指示手段７０からの不実施通知を受信すると、スタンバイ用マイコン３からの電源投入指示を受信しなかった時間帯に対応するカウンタのカウント値を１つカウントアップする。
【００５２】
初期化手段８９は、予め設定された不実施カウンタ８７の閾値を記憶しており、不実施カウンタ８７を監視して、不実施カウンタ８７のカウント値が閾値を超えた場合、閾値を超えた不実施カウンタ８７のカウント値及び不実施カウンタ８７に対応する実施カウンタ８３のカウント値を初期化する。
【００５３】
次に、電源制御装置４の動作について説明する。
図４に示すように、スタンバイ用マイコン３から受信した電源投入指示は、電源制御手段４の現在時刻取得手段１０、時間帯情報記録手段８０及び指示手段７０で受信される。
【００５４】
現在時刻取得手段１０は、スタンバイ用マイコン３から電源投入指示を受信すると、内蔵の時計１１から現在の曜日及び現在時刻を読み出して取得する。
【００５５】
時間帯情報記録手段８０は、スタンバイ用マイコン３から電源投入指示を受信すると、現在時刻取得手段１０へ現在の曜日と現在時刻の通知を要求し、現在時刻取得手段１０から現在の曜日と現在時刻を取得する。
【００５６】
時間帯情報記録手段８０の実施カウンタ８３は、現在の曜日と現在時刻を取得すると、現在の曜日と現在時刻に対応する時間帯テーブル８１の時間帯のカウント値を１つカウントアップし、カウント値をヒストグラム生成手段４０に送信する。
【００５７】
ヒストグラム生成手段４０は、実施カウンタ８３から各カウンタのカウント値を受信すると、受信したカウンタ値に基づいて、曜日毎に電源投入頻度の大きい時間帯の順で並べ替えを行って、曜日毎のヒストグラムを生成又は更新し、時間帯候補抽出手段５０へ送信する。
【００５８】
時間帯候補抽出手段５０は、ヒストグラム生成手段４０からヒストグラムを受信すると、曜日毎のヒストグラムの上位でカウント値が「１」以上の時間帯から予め設定された個数以下で時間帯を抽出し、抽出した時間帯を各曜日の電源投入時間帯候補として保持する。保持された電源投入時間帯候補は、必要に応じて時刻決定手段６０へ送信される。
【００５９】
時刻決定手段６０は、スタンバイ用マイコン３から電源切断指示を受信すると、現在時刻取得手段１０に対して現在の曜日と現在時刻の通知を要求すると共に、時間帯候補抽出手段５０に対して電源投入時間帯候補を要求する。時刻決定手段６０は、現在の曜日、現在時刻及び電源投入時間帯候補を取得すると、現在の曜日、現在時刻及び電源投入時間帯候補に基づいて、電源投入時間帯候補の中から、現在の曜日と現在時刻に最も近い未来の時間帯を選択し、選択した時間帯の先頭時刻を次回電源投入時刻として決定し、記録する。このとき、実施の形態１と同様に、例えば、図３に示す１８：４５：００〜１８：５９：５９の時間帯が選択された場合、次回電源投入時刻が１８：４５：００、即ち１８時４５分０秒に決定される。
【００６０】
また、時刻決定手段６０は、次回電源投入時刻を決定して記録すると、現在時刻取得手段１０から継続して現在の曜日及び現在時刻を取得しており、次回電源投入時刻と現在時刻が一致すると、指示手段７０へ電源投入指示を送信すると共に、現在時刻取得手段１０からの現在の曜日及び現在時刻の取得を終了する。
【００６１】
指示手段７０は、スタンバイ用マイコン３又は時刻決定手段６０から電源投入指示を受信すると、放送受信用電源５に対して放送受信用マイコン６の電源を投入するよう電源投入指示を送信する。また、指示手段７０は、スタンバイ用マイコン３から電源切断指示を受信すると、放送受信用電源５に対して放送受信用マイコン６の電源を切断するよう電源切断指示を送信する。
【００６２】
ここで、指示手段７０は、時刻決定手段６０から電源投入指示を受信し、放送受信用電源５へ電源投入指示を送信してから予め設定した時間として１５分を過ぎても、スタンバイ用マイコン３から電源投入指示を受信しない場合、時間帯情報記録手段８０へ不実施通知を送信する。例えば、次回電源投入時刻の日曜日、１８時４５分０秒から１８時５９分５９秒の１５分間にスタンバイ用マイコン３から電源投入指示を受信しなかった場合、時間帯情報記録手段８０へ不実施通知を送信する。
【００６３】
不実施カウンタ８７は、指示手段７０からの不実施通知を受信すると、スタンバイ用マイコン３から電源投入指示を受信しなかった時間帯に対応するカウンタのカウント値を１つカウントアップする。例えば、不実施カウンタ８７は、「日」、「１８：４５：００〜１８：５９：５９」の時間帯に対応するカウンタのカウント値を１つカウントアップする。
【００６４】
このとき、初期化手段８９は、不実施カウンタ８７を監視しており、不実施カウンタ８７のカウント値が予め設定された閾値を超えると、閾値を超えた不実施カウンタ８７のカウント値と不実施カウンタ８７に対応する実施カウンタ８３のカウント値を初期化して０にする。例えば、初期化手段８９は、不実施カウンタ８７の「日」、「１８：４５：００〜１８：５９：５９」の時間帯に対応するカウンタのカウント値が閾値を超えると、実施カウンタ８３と不実施カウンタ８７の「日」、「１８：４５：００〜１８：５９：５９」の時間帯に対応するカウンタのカウント値を「０」に初期化する。
【００６５】
次回電源投入時刻を決定する際、時間帯候補抽出手段５０では、曜日毎のヒストグラムの上位でカウント値が「１」以上の時間帯から予め設定された個数以下で時間帯を抽出されるため、実施カウンタ８３のカウンタ値が「０」に初期化された時間帯は、電源投入時間帯候補として抽出されず、次回電源投入時刻として決定されない。
【００６６】
以上のように、実施の形態２によれば、実施の形態１と同様の効果を得られると共に、不実施カウンタ８７は、指示手段７０が電源投入時間帯候補の時間帯において電源投入指示を受信しない場合、対応する時間帯テーブル８１の時間帯をカウントし、カウント値が予め設定された閾値を超えた場合、初期化手段８９が対応する実施カウンタ８３のカウント値を初期化して０にするように構成したので、時間帯候補抽出手段５０が初期化された時間帯を時間帯候補として抽出せず、時刻決定手段６０が次回電源投入時刻として決定しないため、例えば、ユーザが視聴しなくなった時間帯については電源投入時間帯候補から削除されるため、番組改編等により変更したユーザの視聴パターンに対応することができる。
【符号の説明】
【００６７】
１  操作部、２  スタンバイ用電源、３  スタンバイ用マイコン、４  電源制御装置、５  放送受信用電源、６  放送受信用マイコン、７  出力部、１０  現在時刻取得手段、１１  時計、２０，８０  時間帯情報記録手段、２１，８１  時間帯テーブル、２３，８３  実施カウンタ、４０  ヒストグラム生成手段、５０  時間帯候補抽出手段、６０  時刻決定手段、７０  指示手段、８７  不実施カウンタ、８９  初期化手段。
【図１】
2010268361.tif 000003
【図２】
2010268361.tif 000004
【図３】
2010268361.tif 000005
【図４】
2010268361.tif 000006